(57)【要約】【課題】プリント装置などの情報処理装置の機能と広告媒体の宣伝内容を連動させるシステムを提供する。【解決手段】Ｓ１では、保守担当者が、バーコードリーダー２９の読み取り面に、広告媒体Ｍにプリントされたバーコード情報Ｉが水平になるようにかざし、タッチパネル２７を操作して読み込みボタン１０３を押下すると、バーコード情報Ｉに埋め込まれた識別コードが読み取られる。Ｓ２では、プリントシステム２は識別コードをネットワーク３を介してサーバ１に通知することで広告媒体関連データの送信を要求する。Ｓ３では、サーバ１は広告媒体関連データ管理テーブルを参照し、通知された識別コードに対応する広告媒体関連データをプリントシステム２に送信する。【選択図】  図７
2005345533.tif 000002
【特許請求の範囲】
【請求項１】
広告媒体の宣伝内容に対応して記録された１又は複数の識別コードを入力する入力部と、前記識別コードに対応する宣伝内容に関連した表示内容を規定する広告関連データの送信を要求する送信要求部と、前記広告関連データで規定される表示内容を表示させるよう表示装置を制御する表示制御部とを有する情報処理装置と、
前記要求に応じ、前記識別コードに対応する広告関連データを前記情報処理装置に送信するサーバと、
を備える広告関連データ更新システム。
【請求項２】
前記情報処理装置は前記広告関連データによる表示に関する設定を受け付ける表示設定部をさらに有し、前記表示制御部は前記設定に基づいて前記広告関連データによる表示を制御する請求項１に記載の広告関連データ更新システム。
【請求項３】
前記設定は複数の広告関連データによる複数の表示内容の表示順位である請求項２に記載の広告関連データ更新システム。
【請求項４】
前記設定は表示スケジュールである請求項２又は３に記載の広告関連データ更新システム。
【請求項５】
前記サーバは複数の識別コードに対応する複数の広告関連データを１つの広告関連データに統合するデータ統合部をさらに有する請求項１〜４のいずれかに記載の広告関連データ更新システム。
【請求項６】
広告媒体の宣伝内容に対応して記録された１又は複数の識別コードを入力する入力部と、前記識別コードに対応する宣伝内容に関連した音声再生内容を規定する広告関連データの送信を要求する送信要求部と、前記広告関連データで規定される音声再生内容を再生させるよう音声再生装置を制御する音声再生制御部とを有する情報処理装置と、
前記要求に応じ、前記識別コードに対応する広告関連データを前記情報処理装置に送信するサーバと、
を備える広告関連データ更新システム。
【発明の詳細な説明】
【技術分野】
【０００１】
本発明は、データを更新するシステムに係り、特に広告媒体の宣伝内容に関連するデータを更新するシステムに関する。
【背景技術】
【０００２】
従来、広告に付加された情報に基づいてデータを送信するシステムとしては、例えば特許文献１に記載の広告情報放送システムがある。このシステムによると、受信放送波に広告情報がある時には、ＩＣカードに予め登録されている視聴者属性と広告情報に付加されたターゲットＩＤとが照合され、両者が一致する広告情報（アイコン）が選択され、表示される。
【特許文献１】特開平１１−１７６３３号公報
【発明の開示】
【発明が解決しようとする課題】
【０００３】
ところで、ユーザ自身が撮影した画像を店頭で注文しプリントを受け取ることができるセルフ型のプリント装置が普及している。このプリント装置は、表示画面に表示されるグラフィカル・ユーザ・インターフェース（ＧＵＩ）を通して、プリントする画像の選択、プリント枚数、プリント種類などの注文項目をタッチパネル操作で入力させ、注文項目に従って画像をプリントする。プリント装置の表示画面には、ＧＵＩによるプリント装置の機能や操作の説明が表示される。店頭には、このようなプリント装置とともに、プリントに関係する様々な広告内容を記述したポスター、シール、のぼりなどの広告媒体が設置されることが一般的である。
【０００４】
特に、プリント装置に新しい機能の追加や変更、例えば画像に合成するテンプレートを変更する場合、新しいソフトウェアをプリント装置にインストールしてＧＵＩによるプリント装置の機能や操作の説明、テンプレートデータの更新などをする必要があるが、これに応じて広告媒体の内容を変更する必要も生じる。この際、プリント装置及び広告媒体の提供者が、新しい機能を有するソフトウェアの提供と同時に、当該機能を宣伝する広告媒体を店頭に設置させることが一般的である。
【０００５】
上述のように、近年のプリント装置の普及に伴い、プリント装置の機能と広告媒体の宣伝内容をより簡便な方法で連動させることが求められていが、特許文献１には、プリント装置の機能と広告媒体の宣伝内容を技術的に連動させる具体的技術については何ら開示されていない。本発明はこのような問題点に鑑みてなされたもので、プリント装置などの情報処理装置の機能と広告媒体の宣伝内容を連動させるシステムを提供することを目的とする。
【課題を解決するための手段】
【０００６】
上述の課題を解決するため、請求項１に係る発明は、広告媒体の宣伝内容に対応して記録された１又は複数の識別コードを入力する入力部と、前記識別コードに対応する宣伝内容に関連した表示内容を規定する広告関連データの送信を要求する送信要求部と、前記広告関連データで規定される表示内容を表示させるよう表示装置を制御する表示制御部とを有する情報処理装置と、前記要求に応じ、前記識別コードに対応する広告関連データを前記情報処理装置に送信するサーバと、を備える。
【０００７】
この発明によると、プリント装置などの情報処理装置に送信された広告媒体関連データの表示する内容（例えば特定の宣伝内容を含む文字、画像、ＧＵＩなどの表示内容）は広告媒体の宣伝内容と関連しているため、ユーザに機能アップや機能変更がされたことを広告媒体と情報処理装置の表示内容の双方で効果的に知らせることができる。
【０００８】
請求項２に係る発明は、請求項１に記載の広告関連データ更新システムにおいて、前記情報処理装置は前記広告関連データによる表示に関する設定を受け付ける表示設定部をさらに有し、前記表示制御部は前記設定に基づいて前記広告関連データによる表示を制御する。
【０００９】
請求項３に係る発明は、請求項２に記載の広告関連データ更新システムにおいて、前記設定は複数の広告関連データによる複数の表示内容の表示順位である。
【００１０】
請求項４に係る発明は、請求項２又は３に記載の広告関連データ更新システムにおいて、前記設定は表示スケジュールである。
【００１１】
請求項５に係る発明は、請求項１〜４のいずれかに記載の広告関連データ更新システムにおいて、前記サーバは複数の識別コードに対応する複数の広告関連データを１つの広告関連データに統合するデータ統合部をさらに有する。
【００１２】
請求項６に係る発明は、広告媒体の宣伝内容に対応して記録された１又は複数の識別コードを入力する入力部と、前記識別コードに対応する宣伝内容に関連した音声再生内容を規定する広告関連データの送信を要求する送信要求部と、前記広告関連データで規定される音声再生内容を再生させるよう音声再生装置を制御する音声再生制御部とを有する情報処理装置と、前記要求に応じ、前記識別コードに対応する広告関連データを前記情報処理装置に送信するサーバと、を備える広告関連データ更新システムである。
【００１３】
この発明によると、プリント装置などの情報処理装置に送信された広告媒体関連データの音声再生する内容（例えば特定の宣伝文句を含む音声内容）は広告媒体の宣伝内容と関連しているため、ユーザに機能アップや機能変更がされたことを広告媒体と情報処理装置の音声の双方で効果的に知らせることができる。
【発明の効果】
【００１４】
この発明によると、プリント装置などの情報処理装置に送信された広告媒体関連データの表示する内容は広告媒体の宣伝内容と関連しているため、ユーザに機能アップや機能変更がされたことを広告媒体と情報処理装置の表示内容の双方で効果的に知らせることができる。
【００１５】
また、この発明によると、プリント装置などの情報処理装置に送信された広告媒体関連データの音声再生する内容は広告媒体の宣伝内容と関連しているため、ユーザに機能アップや機能変更がされたことを広告媒体と情報処理装置の音声の双方で効果的に知らせることができる。
【発明を実施するための最良の形態】
【００１６】
以下、添付した図面を参照し本発明の好ましい実施形態を説明する。
【００１７】
［概略構成］
図１は本発明の好ましい実施形態に係る広告関連データ更新システムの概略構成図である。このシステムは、サーバ１とプリントシステム２とがネットワーク３を介して接続されることで構成される。図２に示すように、プリントシステム２は、スマートメディア、メモリースティック、コンパクトフラッシュ（登録商標）などの記録メディアに記録されるデータを読み出し、あるいは記録メディアにデータを記録させる制御を行うメディアコントローラ３１と、タッチパネル２７付きのディスプレイ２５と、ネットワーク３を介してサーバ１や外部のメールサーバとの間で必要な情報を送受信することが可能なネットワークコントローラ３２を備える。タッチパネル２７付きのディスプレイ２５には、記録メディアからメディアコントローラ３１の読み込んだ画像あるいは電子メールで送信された画像の一覧や、タッチパネル２７で操作するための操作ボタン等が表示される。
【００１８】
また、プリントシステム２は、プリントシステム２の全体の制御を行う中央処理装置（ＣＰＵ）２０と、ＣＰＵ２０を動作させるプログラム等が書き込まれているＲＯＭとＣＰＵ２０が処理を実行する際の作業領域となるＲＡＭとから構成されるシステムメモリ２３と、記録メディアから取り込んだ画像等の情報やタッチパネル２７から入力されたプリント設定情報等を記憶するハードディスク（ＨＤＤ）２２と、ＨＤＤ２２に記憶されたデータを読み出す制御あるいはＨＤＤ２２にデータを記憶する制御を行うＨＤＤコントローラ２１と、ＨＤＤ２２に記憶された表示データに基づいてディスプレイ２５の表示を制御する表示コントローラ２４と、ＨＤＤ２２に記憶された音声再生データに基づいてスピーカ３７にアナログ音声信号を出力して音声再生させる音声コントローラ３６と、タッチパネル２７、コインマシン２８、バーコードリーダー２９から入力された各種情報をバス３３経由でＣＰＵ２０、ＨＤＤコントローラ２１、システムメモリ２３に出力させるシリアルコントローラ２６と、ＨＤＤ２２に記憶された画像をプリント設定情報に基づいてプリントするプリンタ３５を備える。プリンタ３５は、ＳＣＳＩコントローラ３０と接続されたＳＣＳＩバス３４を介してバス３３に複数接続することができる。
【００１９】
図３は、サーバ１に記憶される広告媒体関連データ管理テーブルの概念説明図である。このテーブルは、識別コードと広告媒体関連データとを対応づけて記憶している。広告媒体関連データは、プリントシステム２で利用されるデータであれば特に限定されない。例えば、広告媒体関連データは、スクリーンセーバー（一定時間以上タッチパネル２７への操作入力がない場合、即ち操作待機中にディスプレイ２５に表示される内容）の表示データ、印刷中に表示させる内容の表示データ、操作ボタンの形状・色・背景などのグラフィカル・ユーザ・インターフェース（ＧＵＩ）を規定する表示データ、プリントシステム２で再生する音声のデータ、プリントする画像と合成するテンプレート画像のデータ、ソフトウェアのアップデートやバージョンアップ用のプログラムなどである。説明の簡略のため、本実施形態では特に断らない限り、広告媒体関連データは表示データであるとする。
【００２０】
図４に示すように、識別コードは、ポスター、シール、のぼりなどの広告媒体Ｍに印刷されたバーコード情報Ｉに埋め込まれている。各識別コードに対応する広告媒体関連データの機能は、その識別コードが埋め込まれた広告媒体Ｍの宣伝内容と関連している。例えば、広告媒体関連データが表示データであれば、その表示内容と広告媒体Ｍの宣伝内容（分割プリントが可能など）が関連する。プリントシステム２のバーコードリーダー２９は、バーコード情報Ｉから識別コードを読み込む。１つのバーコード情報Ｉには１つの識別コードを埋め込んでもよいし、複数の識別コードを埋め込んでもよい。
【００２１】
図５は、ＨＤＤ２２に記憶されるスクリーンセーバー表示設定テーブルの概念説明図である。このテーブルには、サーバ１からプリントシステム２に送信された広告媒体関連データと各広告媒体関連データが表示するスクリーンセーバーの表示順位とが対応づけられている。これらの対応は、図９の表示内容指定画面でユーザがタッチパネル２７を操作することで指定できる。図６は、ＨＤＤ２２に記憶されるプリント中表示設定テーブルの概念説明図である。このテーブルには、プリンタ３５がプリント中にディスプレイ２５に表示する内容を規定する広告媒体関連データが記憶されている。プリント中表示設定テーブルに記憶される広告媒体関連データは、図９の表示内容指定画面でユーザがタッチパネル２７を操作することで指定できる。
【００２２】
［処理の流れ］
次に、図７のフローチャートに基づき、広告関連データ更新システムが実行する処理の流れを説明する。Ｓ１では、プリントシステム２の保守担当者がタッチパネル２７に所定の保守モード移行操作（パスワード入力など）を行って図８のＧＵＩ設定画面を表示させる。ＧＵＩ設定画面には読み込みボタン１０３が表示されている。保守担当者が、バーコードリーダー２９の読み取り面に、広告媒体Ｍにプリントされたバーコード情報Ｉが水平になるようにかざし、タッチパネル２７を操作して読み込みボタン１０３を押下すると、バーコード情報Ｉに埋め込まれた識別コードが読み取られる。
【００２３】
Ｓ２では、プリントシステム２は識別コードをネットワーク３を介してサーバ１に通知することで広告媒体関連データの送信を要求する。Ｓ３では、サーバ１は広告媒体関連データ管理テーブルを参照し、通知された識別コードに対応する広告媒体関連データをプリントシステム２に送信する。なお、広告媒体Ｍに印刷されたバーコード情報Ｉに複数の識別コードが埋め込まれている場合、それぞれの識別コードに対応する広告関連データを送信する。プリントシステム２は受信した広告媒体関連データを属性に応じてスクリーンセーバー表示設定テーブル又はプリント中表示設定テーブルに記憶する。広告媒体関連データの属性はデータのヘッダ部分やデータの拡張子やデータ名などに付与されている。本実施形態では、データ名の上４文字が「ＤＡＴＡ」の広告媒体関連データはスクリーンセーバー表示設定テーブルに記憶され、データ名の上４文字が「ＰＤＡＴＡ」の広告媒体関連データはプリント中表示設定テーブルに記憶される。広告媒体関連データが音声再生データである場合は、図示しない音声再生データテーブルをＨＤＤ２２に用意しておき、そこに記憶すればよい。
【００２４】
Ｓ４では、プリントシステム２は受信した広告媒体関連データによる表示に関する設定をＧＵＩ設定画面から受け付ける。ＧＵＩ設定画面には、現在のスクリーンセーバー表示設定テーブルの記憶内容Ｔ１及びプリント中表示設定テーブルの記憶内容Ｔ２が表示されている。記憶内容Ｔ１はスクリーンセーバーの表示順序も表示している。図８では一例として、ＤＡＴＡ１で規定される表示内容が１番目に、ＤＡＴＡ２の表示内容が２番目に表示される。記憶内容Ｔ１及びＴ２の左側にはラジオボタンＢ１及びＢ２がそれぞれ表示されている。
【００２５】
またＧＵＩ設定画面には、現在のスクリーンセーバー表示設定テーブルの記憶内容Ｔ１及びプリント中表示設定テーブルの記憶内容Ｔ２を更新するため、「クリア」ボタン１０４、「全てクリア」ボタン１０５が表示されている。ボタンＢ１又はＢ２を選択して「クリア」ボタン１０４を押下するとそれぞれ記憶内容Ｔ１又はＴ２が消去される。「全てクリア」ボタン１０５を押下すると記憶内容Ｔ１及び記憶内容Ｔ２がＨＤＤ２２から消去される。記憶内容Ｔ１又はＴ２に表示された表示データの名称を選択して「クリア」ボタン１０４を押下すると、選択された表示データが消去される。
【００２６】
またＧＵＩ設定画面には、スクリーンセーバーの表示順序を具体的に設定するため、「下へ」ボタン１０６及び「上へ」ボタン１０７が表示されている。記憶内容Ｔ１に表示された表示データの名称を選択して「下へ」ボタン１０６を押下すると、選択された表示データで表示されるスクリーンセーバーの表示順序が１つ繰り下がる。記憶内容Ｔ１に表示された表示データの名称を選択して「上へ」ボタン１０７を押下すると、選択された表示データで表示されるスクリーンセーバーの表示順序が１つ繰り上がる。
【００２７】
またＧＵＩ設定画面には、スクリーンセーバーの表示スケジュール又はプリント中表示の表示スケジュールを設定するため、「なし」ボタン１０８、「あり」ボタン１０９、「詳細」ボタン１１０が表示されている。「なし」ボタン１０８が押下されると、スクリーンセーバーが記憶内容Ｔ１の表示順序に従って順に表示される。「あり」ボタン１０９が押下されると、後述のスケジュール詳細設定画面の設定内容に従ってスクリーンセーバーが表示される。「詳細」ボタン１１０が押下されるとスケジュール詳細設定画面が表示される。
【００２８】
図９はスケジュール詳細設定画面の表示例である。この画面には、スクリーンセーバー表示設定テーブルの記憶内容Ｔ１及びプリント中表示設定テーブルの記憶内容Ｔ２が表示されており、この中から表示データを選択して表示開始時刻スクロールボタンＳＴＲ又は表示終了時刻スクロールボタンＳＴＰを適宜押下し、「設定」ボタンＢ４を押下することで、選択された表示データによる表示の開始時刻及び表示終了時刻を設定できる。なお、終日ボタンＢ３が押下されると、選択された表示データによる表示が一日中行われる。
【００２９】
なお、ＧＵＩ設定画面及びスケジュール詳細設定画面で設定したいずれの設定も、設定しないボタン１１１の押下で取り消され、「設定する」ボタン１１２の押下で確定される。
【００３０】
表示コントローラ２４は、ＧＵＩ設定画面及びスケジュール詳細設定画面で設定した内容及びスクリーンセーバー表示設定テーブルに記憶されている内容に応じてスクリーンセーバーをディスプレイ２５に表示する。例えば、図５のような内容がスクリーンセーバー表示設定テーブルに記憶されており、図８のＧＵＩ設定画面で「なし」ボタン１０８が押下された場合、図１０に示すように、ディスプレイ２５に表示される内容はＤＡＴＡ１〜ＤＡＴＡ３がそれぞれ規定する表示内容の順に切り替わる。新たにスクリーンセーバー表示設定テーブルに追加記憶された広告媒体関連データの表示する内容は広告媒体の宣伝内容と関連しているため、ユーザに機能アップや機能変更がされたことを広告媒体とスクリーンセーバーの双方で効果的に知らせることができる。
【００３１】
なお、広告媒体関連データが音声再生データの場合もＧＵＩ設定画面及びスケジュール詳細設定画面で設定した内容に従って音声再生できる。例えば、ＤＡＴＡ２が、図１０に示すような内容の宣伝文句の音声を再生させるデータであり、図９のスケジュール詳細設定画面で「設定」ボタンＢ４を押下し、開始時刻「８：００」と終了時刻「１９：００」が選択され、記憶内容Ｔ１からＤＡＴＡ２が選択された場合、音声コントローラ３６はＤＡＴＡ２で規定される音声を８：００から１９：００までスピーカ３７から繰り返し拡声させる。また、広告媒体関連データが表示データとその表示データの規定する表示内容と関連する音声を再生する音声再生データを含んでいる場合、表示コントローラ２４及び音声コントローラ３６はディスプレイ２５の表示とスピーカ３７の音声再生を連動させる。例えばＤＡＴＡ２が、図１０に示すような内容を表示させる表示データとその表示内容の宣伝文句の音声を再生する音声再生データの両方を含んでいれば、表示と音声再生を連動させる。これにより、ユーザへの宣伝効果が高まる。
【００３２】
［その他の実施形態］
（１）広告媒体Ｍに印刷されたバーコード情報Ｉに複数の識別コードが埋め込まれている場合、それぞれの識別コードに対応する広告関連データを送信するのではなく、それらの広告関連データを１つの広告関連データに統合して送信してもよい。それらを統合したデータは各広告関連データの規定する機能を統合しており、例えば、複数の識別コードに対応する広告関連データがＤＡＴＡ１〜ＤＡＴＡ３の場合、それらを統合した広告関連データは、図１０のようにＤＡＴＡ１〜ＤＡＴＡ３がそれぞれ個別に表示する内容をまとめて表示する。
【００３３】
（２）識別コードを広告媒体Ｍからプリントシステム２に入力する態様は上記のようなバーコード情報に限られず、電子タグ用ＩＣチップや磁気ストライプなど、広告媒体Ｍと一体形成可能な各種記録媒体に識別コードを埋め込み、この記録媒体から所定の読み取り装置で読み取るようにしてもよい。あるいは、識別コードが文字・数字で表せる場合は、識別コードを文字・数字で広告媒体Ｍに印刷し、キーボードなどの入力装置から識別コードを入力してもよい。
【００３４】
（３）上述のサーバ１にはプリントシステム２以外の情報処理装置を接続してもよい。例えば、広告媒体Ｍから識別コードを入力できかつＧＵＩをタッチパネル付きのモニタに表示するＡＴＭなどの情報処理装置を上述のサーバ１に接続してもよい。
【図面の簡単な説明】
【００３５】
【図１】本発明の好ましい実施形態に係る広告関連データ更新システムの概略構成図
【図２】プリントシステムの概略構成図
【図３】広告媒体関連データ管理テーブルの概念説明図
【図４】広告媒体の一例を示す図
【図５】スクリーンセーバー表示設定テーブルの概念説明図
【図６】プリント中表示設定テーブルの概念説明図
【図７】本システムで実行される処理の流れを示すフローチャート
【図８】ＧＵＩ設定画面の一例を示す図
【図９】スケジュール詳細設定画面の一例を示す図
【図１０】スクリーンセーバーの一例を示す図
【符号の説明】
【００３６】
１：サーバ、２：プリントシステム
【図１】
2005345533.tif 000003
【図２】
2005345533.tif 000004
【図３】
2005345533.tif 000005
【図４】
2005345533.tif 000006
【図５】
2005345533.tif 000007
【図６】
2005345533.tif 000008
【図７】
2005345533.tif 000009
【図８】
2005345533.tif 000010
【図９】
2005345533.tif 000011
【図１０】
2005345533.tif 000012